【手続補正書】
【提出日】平成29年4月7日(2017.4.7)
【手続補正１】
【補正対象書類名】特許請求の範囲
【補正対象項目名】全文
【補正方法】変更
【補正の内容】
【特許請求の範囲】
【請求項１】
密閉装置中で処理配合物および固体の粒状物質と一緒に、加湿された動物の基材を撹拌する工程：を含んでなり、そこで処理配合物がなめし剤、再なめし剤および皮なめし処理剤から選択される少なくとも１種の処理剤を含んでなり、そこで固体の粒状物質が１ｍｍ〜５００ｍｍの平均粒径および／または１ｍｍ〜５００ｍｍの長さをもち、動物の基材が、原皮、表皮または本革である、動物の基材を処理する方法。
【請求項２】
処理配合物が水性である、請求項１に記載の方法。
【請求項３】
処理配合物が少なくとも１種のなめし剤を含んでなる、請求項１または２に記載の方法。
【請求項４】
皮なめし処理剤が、クリーニング、保存仕立て、浸漬、石灰処理、脱毛、汚れ除去、肉除去、脱灰、戻し、酸洗いおよび脂肪液浸漬を含むビームハウス処理、酵素処理並びに染料固定から選択され、好ましくはクリーニング、石灰処理、脱灰および酵素処理から選択される、１種以上の皮なめし処理における、動物基材の処理に使用される化学薬品を含んでなる、請求項１または２に記載の方法。
【請求項５】
前記なめし剤または再なめし剤が、植物なめし剤または再なめし剤およびクロムＩＩＩ塩から選択される、請求項１〜４のいずれか１項に記載の方法。
【請求項６】
前記なめし剤または再なめし剤が、場合により、ポリフェノールであるタンニンを含んでなる植物なめし剤である、請求項５に記載の方法。
【請求項７】
密閉装置が、回転性に取付けられたドラム、または回転性に取付けられた円筒状ケージの形態の処理室を含んでなり、そしてその方法が、前記処理室を回転することにより、前記動物の基材と前記処理配合物を撹拌する工程を含んでなる、請求項１〜６のいずれか１項に記載の方法。
【請求項８】
処理配合物および固体の粒状物質と一緒の、加湿された動物の基材の前記の撹拌の前または後に、前記の動物の基材を、少なくとも１種の着色剤との動物基材の接触を含んでなる少なくとも一つの更なる処理に暴露する工程を更に含んでなる、請求項１〜７のいずれか１項に記載の方法。
【請求項９】
固体の粒状物質、対動物の基材の比率が、１０００：１〜１：１０００重量／重量、または約５：１〜約１：５重量／重量、または約１：２〜約１：１重量／重量である、請求項１〜８のいずれか１項に記載の方法。
【請求項１０】
処理配合物中の水、対固体の粒状物質の比率が、１０００：１〜１：１０００重量／重量、または約１：１〜約１：１００重量／重量、である、請求項２、またはそれに従属する時は請求項３〜９のいずれか１項に記載の方法。
【請求項１１】
１０００：１〜１：１０００重量／重量間、または約１：１００〜約１：１重量／重量の、水、対動物の基材の比率を達成するように、基材が、湿潤化により加湿される、請求項１〜１０のいずれか１項に記載の方法。
【請求項１２】
処理配合物が少なくとも５重量／重量％、好ましくは９９．９重量／重量％以下の水を含んでなる、請求項２、または請求項２に従属する時は請求項３〜１１のいずれか１項に記載の方法。
【請求項１３】
固体の粒状物質、対動物の基材、対水の比率が、約１：１：１〜約５０：５０：１重量／重量、または約１：１：０〜約５０：５０：０重量／重量である、請求項２、または請求項２に従属する時は請求項３〜１２のいずれか１項に記載の方法。
【請求項１４】
固体の粒状物質が０．５〜２０ｇ／ｃｍ3、または０．５〜３．５ｇ／ｃｍ3の平均密度をもつ、請求項１〜１３のいずれか１項に記載の方法。
【請求項１５】
固体の粒状物質が、１ｍｇ〜５ｋｇ、または１ｍｇ〜１００ｇ、または５ｍｇ〜１００ｍｇの平均質量をもち、および／または、固体の粒状物質が１．０〜５．０ｍｍ、または２．５〜４．５ｍｍの長さをもち、好ましくは固体の粒状物質が１．０〜５．０ｍｍ、または２．５〜４．５ｍｍの平均粒径をもつ、請求項１〜１４のいずれか１項に記載の方法。
【請求項１６】
固体の粒状物質が複数のポリマー粒子、複数の非ポリマー粒子または複数のポリマー粒子と非ポリマー粒子の混合物、を含んでなる、請求項１〜１５のいずれか１項に記載の方法。
【請求項１７】
ポリマーまたは非ポリマー粒子がビーズを含んでなり、好ましくはポリマー粒子が５〜２７５ｍｍ3の平均容量をもち、および／または、ポリマー粒子がポリアルケン、ポリアミド、ポリエステル、ポリシロキサン、ポリウレタンまたはそれらのコポリマーの粒子を含んでなり、および／または、ポリマー粒子が、セラミック材料、耐熱材料、火成、堆積もしくは変成鉱物、複合材料、金属、ガラスまたは木材の粒子を含んでなる、請求項１〜１６のいずれか１項に記載の方法。
【請求項１８】
処理配合物が２種以上の部分を含んでなり、そして処理配合物の各部分が同一でもまたは異なってもよい、請求項１〜１７のいずれか１項に記載の方法。
【請求項１９】
処理配合物が、動物の基材をクリーニングするための少なくとも第１の部分および、なめし剤、再なめし剤および皮なめし処理剤から選択される前記の少なくとも１種の処理剤を含んでなる少なくとも第２の部分、を含んでなる、請求項１〜１８のいずれか１項に記載の方法。
【請求項２０】
動物の基材が、１種以上の油を含んでなる処理配合物とともに撹拌される段階を含んでなり、場合により、その処理配合物が、動物の基材に柔らかさと柔軟性を提供する少なくとも１種の硫黄部分を含む油を含んでなる、請求項１〜１９のいずれか１項に記載の方法。
【請求項２１】
なめし剤が合成なめし剤を含んでなり、場合により
合成なめし剤が、それらに限定はされないが、アミノ樹脂、ポリアクリレート、フルオロおよび／またはシリコーンポリマーおよび、フェノール、尿素、メラミン、ナフタレン、スルホン、クレゾール、ビスフェノールＡ、ナフトールおよび／またはビフェニルエーテルに基づくホルムアルデヒド縮合ポリマーを含む、請求項３、または請求項３に従属する請求項４〜２０のいずれか１項に記載の方法。
【請求項２２】
処理配合物が、場合により疎水性シリコーンである、１種以上の防水剤を含む、請求項１〜２１のいずれか１項に記載の方法。
【請求項２３】
その方法が、動物の基材を二酸化炭素に暴露する段階を含む、請求項１〜２２のいずれか１項に記載の前記請求項に従う方法。
【請求項２４】
粒子が、密閉装置中で処理配合物および固体の粒状物質と一緒に、加湿された動物の基材を撹拌する工程を含んでなる動物の基材を処理するためのその後の方法において、少なくとも１回再使用される、請求項１〜２３のいずれか１項に記載の方法。
【請求項２５】
再循環手段により、固体の粒状物質を処理室中に再循環させる工程を含んでなる、請求項７、または請求項７に従属する時は請求項８〜２４のいずれか１項に記載の方法。
【請求項２６】
非被覆、洗浄済みまたはクリーニングされた固体の粒状物質が処理室内に導入される、請求項７、または請求項７に従属する時は請求項８〜２５のいずれか１項に記載の方法。
【請求項２７】
動物の基材の処理後に、粒子をクリーニング手順に暴露する段階を含む、請求項１〜２６のいずれか１項に記載の方法。
【請求項２８】
該方法が、一つ以上の相または段階を含んでなる処理サイクルよりなり、好ましくは、処理配合物が少なくとも第１の部分および第２の部分を含んでなり、そこで前記の第１の部分が、処理配合物の第２の部分に対し、処理サイクル中の異なる相または段階において添加される、請求項１〜２７のいずれか１項に記載の方法。
【請求項２９】
請求項１〜２８のいずれか１項に記載の方法により得られる動物の基材。
【請求項３０】
処理された動物の基材、またはそれらの一つ以上の部分の、乾燥、被覆、仕上げ塗り、磨き仕上げ、切削、型削り、成型、型押し、型抜き、のり付け、縫い込み、張り付けおよび包装から選択される一つ以上のその後の加工段階を含んでなり、好ましくは、前記の一つ以上のその後の加工段階が、最終的本革基材、または商品、好ましくは、衣料品および個人的アクセサリー、履物、袋物、ブリーフケースおよびスーツケース、馬具類、家具および布張り製品、運動具およびアクセサリー、ペットの首輪とひも、並びに乗り物の内装カバー：の一つ以上から選択される、最終的本革商品を製造する工程、を含んでなる、請求項１〜２８のいずれか１項に記載の方法。
【請求項３１】
請求項１〜２８のいずれか１項に記載の方法により得られる、または請求項２９に従う動物の基材を含んでなる、最終本革商品または最終本革商品の構成材料。
【請求項３２】
前記粒子は、場合により１０回おき、５回おき、３回おき、２回おきまたは１回おきの撹拌段階後に断続的に洗浄される請求項２７に記載の方法。
【請求項３３】
粒子のクリーニング段階は、水、有機溶媒またはそれらの混合物であるクリーニング配合物で粒子を洗浄する工程を含み、クリーニング配合物は、あらゆる汚染物の除去を助けるために、場合により１種以上の洗浄剤を含み、洗浄剤は、場合により界面活性剤、洗剤、染料移動剤、殺生物剤、殺真菌剤、ビルダーおよび金属キレート剤から選択される請求項３２に記載の方法。
【請求項３４】
洗浄中、粒子が撹拌される請求項３２または３３に記載の方法。